(57)【要約】【課題】鈴を墓石に設けて、墓参者が墓参時に鈴を鳴らしながら礼拝することが可能となり、且つこの鈴に錆びが生じることを抑制することができる墓石を提供する。【解決手段】墓石は、上方へ開口する開口部３ａを有する鈴収容凹所２ａが形成された鈴収容体１ａと、前記鈴収容体１ａに対して着脱自在であり且つこの鈴収容体１ａに取着された場合にこの鈴収容凹所２ａの開口部３ａを閉塞する蓋体４ａと、この蓋体４ａの一面に固定された鈴５とを具備する。前記蓋体４ａは、その一面及び他面のいずれの面が上面側に配置される場合でも前記鈴収容体１ａに取着可能である。前記鈴収容体１ａは、前記蓋体４ａの他面が上面側に配置された状態でこの蓋体４ａが取着された場合に前記鈴収容凹所２ａ内に前記鈴５が収容される。【選択図】図１
2010053560.tif 000002
【特許請求の範囲】
【請求項１】
上方へ開口する開口部を有する鈴収容凹所が形成された鈴収容体と、前記鈴収容体に対して着脱自在であり且つこの鈴収容体に取着された場合にこの鈴収容凹所の開口部を閉塞する蓋体と、この蓋体の一面に固定された鈴とを具備し、
前記蓋体は、その一面及び他面のいずれの面が上面側に配置される場合でも前記鈴収容体に取着可能であり、
前記鈴収容体は、前記蓋体の他面が上面側に配置された状態でこの蓋体が取着された場合に前記鈴収容凹所内に前記鈴が収容されることを特徴とする墓石。
【請求項２】
内部に蝋燭が収容可能な蝋燭収容体を有する蝋燭立てを具備し、この蝋燭立ての前記蝋燭収容体の上方に上記鈴収容体が形成されていることを特徴とする請求項１に記載の墓石。
【請求項３】
上方へ開口する開口部を有する副収容凹所が形成された副収容体と、前記副収容体に対して着脱自在であり且つこの副収容体に取着された場合にこの副収容凹所の開口部を閉塞する蓋体とを具備することを特徴とする請求項１又は２に記載の墓石。
【請求項４】
上記副収容体に対して着脱自在な蓋体は、その一面及び他面のいずれの面が上面側に配置される場合でも前記副収容体に取着可能であり、この蓋体の一面に写真立てが固定され、
前記副収容体は、前記蓋体の他面が上面側に配置された状態でこの蓋体が取着された場合に前記副収容凹所内に前記写真立てが収容されることを特徴とする墓石。
【請求項５】
上記副収容体に対して着脱自在な蓋体は、その一面及び他面のいずれの面が上面側に配置される場合でも前記副収容体に取着可能であり、この蓋体の一面に線香立てが固定され、
前記副収容体は、前記蓋体の他面が上面側に配置された状態でこの蓋体が取着された場合に前記副収容凹所内に前記線香立てが収容されることを特徴とする墓石。
【発明の詳細な説明】
【技術分野】
【０００１】
本発明は、墓碑並びにその付属物で構成される墓石に関する。
【背景技術】
【０００２】
墓地に設置される墓石は、墓碑１２のほかに、墓参時に花を供えるための花立て１３、水を供えるための水鉢１４、線香を供えるための香台１５、蝋燭９を供えるための蝋燭立て７等の付属物で構成される（図７参照）。尚、墓石という語は墓碑１２のみを指す場合が多いが、本明細書では墓地に設置される墓碑１２とその付属物とを組み合わせたものも、墓石と称する。
【０００３】
墓参者は、通常は上記のような付属物に蝋燭及び線香を供えると共に、花、水、その他の供え物を供えて、墓碑１２に向かって礼拝する。このような礼拝の所作は、仏壇に向かって礼拝する場合の所作と同一である。
【０００４】
しかし、仏壇等に向かって礼拝する際は、通常は鈴（りん；輪、おりん等ともいう）を鳴らすものであるが、従来、墓石には鈴は備えられていなかった。このため、墓参者は鈴を鳴らして礼拝するという所作を行うことができず、十全な礼拝を行うことができないという不満を抱くことがある。また、墓参時に鈴を鳴らしたい場合には墓参者は墓地まで鈴を持参しなければならず、不便なものであった。
【０００５】
そこで、鈴を墓石の付属物として設けることも考えられるが、鈴は金属製であるため屋外に設置した場合には雨水等によって錆びやすく、頻繁な交換が必要になるという問題があった。
【特許文献１】特許第２７６９１４３号公報
【発明の開示】
【発明が解決しようとする課題】
【０００６】
本発明は上記の点に鑑みて為されたものであり、鈴を墓石に設けて、墓参者が墓参時に鈴を鳴らしながら礼拝することが可能となり、且つこの鈴に錆びが生じることを抑制することができる墓石を提供することを目的とする。
【課題を解決するための手段】
【０００７】
本発明に係る墓石は、上方へ開口する開口部３ａを有する鈴収容凹所２ａが形成された鈴収容体１ａと、前記鈴収容体１ａに対して着脱自在であり且つこの鈴収容体１ａに取着された場合にこの鈴収容凹所２ａの開口部３ａを閉塞する蓋体４ａと、この蓋体４ａの一面に固定された鈴５とを具備し、前記蓋体４ａは、その一面及び他面のいずれの面が上面側に配置される場合でも前記鈴収容体１ａに取着可能であり、前記鈴収容体１ａは、前記蓋体４ａの他面が上面側に配置された状態でこの蓋体４ａが取着された場合に前記鈴収容凹所２ａ内に前記鈴５が収容されることを特徴とする。
【０００８】
このため、墓石に鈴５を設置することができ、蓋体４ａの一面が上面側に配置された状態で蓋体４ａが鈴収容体１ａに取着されると、鈴５が外部に露出してこの鈴５を使用することができ、また蓋体４ａの他面が上面側に配置された状態で蓋体４ａが鈴収容体１ａに取着されると、鈴５が鈴収容凹所２ａに収容される。鈴５が鈴収容凹所２ａに収容された状態では鈴収容凹所２ａの開口部３ａが蓋体４ａによって閉塞され、鈴収容凹所２ａへの雨水等の浸入が抑制され、鈴５が雨水等で濡れることが防止される。
【０００９】
本発明では、内部に蝋燭９が収容可能な蝋燭収容体８を有する蝋燭立て７を具備し、この蝋燭立て７の前記蝋燭収容体８の上方に上記鈴収容体１ａが形成されていることが好ましい。
【００１０】
この場合、蝋燭立て７の蝋燭収容体８の上方のスペースを利用して鈴収容体１ａを設けることができ、鈴収容体１ａをコンパクトに設置することができる。
【００１１】
また本発明では、上方へ開口する開口部３ｂを有する副収容凹所２ｂが形成された副収容体１ｂと、前記副収容体１ｂに対して着脱自在であり且つこの副収容体１ｂに取着された場合にこの副収容凹所２ｂの開口部３ｂを閉塞する蓋体４ｂとを具備することが好ましい。
【００１２】
この場合、副収容体１ｂの副収容凹所２ｂに、遺影等の写真、手紙等といった故人にまつわる物品等、種々の祭祀用の用具、ペットの遺骨等といった、故人を偲ぶための助けになる物品や祭祀のための物品などを収容することができ、また副収容凹所２ｂの開口部３ｂは蓋体４ｂによって閉塞されるため、副収容凹所２ｂに収容された物品が雨水等で濡れることを防止することができる。
【００１３】
また、上記副収容体１ｂに対して着脱自在な蓋体４ｂは、その一面及び他面のいずれの面が上面側に配置される場合でも前記副収容体１ｂに取着可能であり、この蓋体４ｂの一面に写真立て１０が固定され、前記副収容体１ｂは、前記蓋体４ｂの他面が上面側に配置された状態でこの蓋体４ｂが取着された場合に前記副収容凹所２ｂ内に前記写真立て１０が収容されることが好ましい。
【００１４】
この場合、墓石に写真立て１０を設置することができ、蓋体４ｂの一面が上面側に配置された状態で蓋体４ｂが副収容体１ｂに取着されると、写真立て１０が外部に露出してこの写真立て１０を使用することができ、また蓋体４ｂの他面が上面側に配置された状態で蓋体４ｂが鈴収容体１ａに取着されると、写真立て１０が副収容凹所２ｂに収容される。写真立て１０が副収容凹所２ｂに収容された状態では副収容凹所２ｂの開口部３ｂが蓋体４ｂによって閉塞され、副収容凹所２ｂへの雨水等の浸入が抑制され、写真立て１０が雨水等で濡れることが防止される。
【００１５】
また、上記副収容体１ｂに対して着脱自在な蓋体４ｂは、その一面及び他面のいずれの面が上面側に配置される場合でも前記副収容体１ｂに取着可能であり、この蓋体４ｂの一面に線香立て１１が固定され、前記副収容体１ｂは、前記蓋体４ｂの他面が上面側に配置された状態でこの蓋体４ｂが取着された場合に前記副収容凹所２ｂ内に前記線香立て１１が収容されることも好ましい。
【００１６】
この場合、墓石に線香立て１１を設置することができ、蓋体４ｂの一面が上面側に配置された状態で蓋体４ｂが副収容体１ｂに取着されると、線香立て１１が外部に露出してこの線香立て１１を使用することができ、また蓋体４ｂの他面が上面側に配置された状態で蓋体４ｂが副収容体１ｂに取着されると、線香立て１１が副収容凹所２ｂに収容される。線香立て１１が副収容凹所２ｂに収容された状態では副収容凹所２ｂの開口部３ｂが蓋体４ｂによって閉塞され、副収容凹所２ｂへの雨水等の浸入が抑制され、線香立て１１が雨水等で濡れることが防止される。
【発明の効果】
【００１７】
本発明によれば、鈴を墓石に設け、墓参者が墓参時に鈴を鳴らしながら礼拝することが可能となり、且つこの鈴に錆びが生じることを抑制することができるものである。
【発明を実施するための最良の形態】
【００１８】
以下、本発明を実施するための最良の形態を説明する。
【００１９】
図７に墓石の一例を示す。この墓石には、墓碑１２の前方に水鉢１４及び香台１５が設けられ、この水鉢１４及び香台１５の両側には一対の花立て１３が設けられ、各花立て１３の前方にはそれぞれ蝋燭立て７が設けられている。香台１５の上には線香立て１１が設けられている。これらの墓碑１２並びにその付属物は、いずれも石材で形成されている。尚、この墓石の構成は一例に過ぎず、例えば墓石は付属物として更に供物台、塔婆立て、墓誌等を備えていても良い。
【００２０】
二つの各花立て１３は四角柱状に形成されている。また、二つの各蝋燭立て７は前面が円弧面状に形成されると共に、両側面及び背面が平面状に形成されており、この蝋燭立て７の背面は花立て１３の前面に密接している。尚、蝋燭立て７は円柱状であっても良いが、その場合には蝋燭立て７と花立て１３との間に隙間が生じ、この隙間の掃除がしにくくなるため、墓石の掃除の便のためには蝋燭立て７は本実施形態のような形状に形成することが好ましい。
【００２１】
図１に示すように、蝋燭立て７には蝋燭収容体８が形成されていると共に、この蝋燭収容体８の上方に鈴収容体１ａが形成されている。
【００２２】
蝋燭収容体８の内部には平断面円形状の収容中空部２９が形成されており、また蝋燭収容体８の前面には前記収容中空部２９に連通する窓部１６が開口している。収容中空部２９内の底面には、蝋燭台１７が載置されている。
【００２３】
収容中空部２９内には、窓部１６を開閉するフード１８が設けられている。このフード１８は板材が円弧状に屈曲された形状を有し、平断面Ｃ字状に形成されている。またフード１８にはほぼ全面に亘って複数の通孔１９が形成されている。通孔１９の開口形状は円形のほか、適宜の形状に形成される。このフード１８は、例えばステンレス鋼板製のパンチングメタル等で形成される。またフード１８は透明樹脂やガラス等の通孔１９を有さない透明な材質で形成されても良い。このフード１８は、その外周面が収容中空部２９の内周面に沿うように収容中空部２９内に配置され、このフード１８の外周面が収容中空部２９の内面に対して摺動するように横方向にスライドしながら回動する。このようにフード１８が回動することで、窓部１６が開閉自在となっている。このフード１８には把手２０を窓部１６から外方に突出するように設けても良く、この場合は墓参者が把手２０を横方向に引くことによってフード１８を容易に回動させて窓部１６を開閉することができる。墓参者は蝋燭立て７に蝋燭９を立てる際には、フード１８を回動させることで窓部１６を開き、この窓部１６から蝋燭９を収容中空部２９内に差し入れて、この蝋燭９を蝋燭台１７に立てると共にこの蝋燭９に火を灯すことができ、更にフード１８を逆向きに回動させて窓部１６を覆うことで蝋燭９に風が当たることを防ぎ、風で蝋燭９の火が消えないようにすることができる。
【００２４】
鈴収容体１ａの内側には、平面視円形状の中空な鈴収容凹所２ａが形成されている。この鈴収容凹所２ａは上方に開口する開口部３ａを有する。この鈴収容凹所２ａと、上記蝋燭収容体８との間には、両者を上下に仕切る仕切壁２１が形成されている。
【００２５】
この鈴収容体１ａに取着される蓋体４ａは平面視円盤状に形成されており、その外径は上記開口部３ａの内径よりも大きく形成されている。この蓋体４ａは、後述するとおり、一面、他面のいずれの面を上面側に配置した場合であっても、鈴収容体１ａに取着可能であり、且つこの鈴収容体１ａに対して着脱自在なものである。
【００２６】
蓋体４ａの一面には鈴５が固定されている。蓋体４ａへの鈴５の固定は適宜の方法で為されるが、例えば蓋体４ａの一面と鈴５の底面との間に弾性体２２を介在させ、この弾性体２２を介して蓋体４ａと鈴５とを固定することが好ましい。この場合、鈴５が蓋体４ａと直接接触する場合に比べて鈴５が振動しやすくなり、鈴５を鳴らす場合の音の鳴りを良くすることができる。また、この弾性体２２には、鈴５を安定して固定するため、鈴５の底部の形状と合致する凹部が形成されていても良い。前記弾性体２２としては、例えばアクリルフォーム等の発泡フォームの両面に接着層が形成された弾性接着シートが使用される。この場合、弾性接着シートを蓋体４ａと鈴５の間に介在させるだけで弾性接着シートの一方の面に蓋体４ａを、他方の面に鈴５を接着することができ、蓋体４ａに鈴５を容易に固定することができる。
【００２７】
蓋体４ａの他面には、飾り凸部２３が形成されている。この飾り凸部２３は平面視円形状であり、その上面は凸曲面状に形成されている。
【００２８】
また、この蓋体４ａには鈴５を叩いて鳴らすために使用される鈴棒２４（輪棒ともいう）が紐２５を介して取り付けられている。本実施形態では紐２５の一端が蓋体４ａの一面と弾性体２２との間に挟持されることで固定され、この紐２５の他端に鈴棒２４が取り付けられている。
【００２９】
この蓋体４ａは、その鈴５が固定されていない他面が上面側に配置された状態で、鈴収容体１ａの上面に載置されることで、鈴収容体１ａに取着される。これにより蓋体４ａで鈴収容凹所２ａの開口部３ａが閉塞されると共に、鈴５が鈴収容凹所２ａ内に収容される。このように鈴５が鈴収容凹所２ａ内に収容されていることで、鈴５が鈴収容凹所２ａの内面に引っ掛かり、蓋体４ａの位置ずれや鈴収容体１ａからの脱離が生じにくくなる。このように鈴５が鈴収容凹所２ａに収容されると共に蓋体４ａの位置ずれや脱離が生じにくくなるためには、鈴５の外径は鈴収容凹所２ａの内径よりもやや小さくなるように形成されることが好ましい。また鈴５の高さは鈴収容凹所２ａの深さよりも小さくなるように形成される必要がある。このように鈴５が鈴収容凹所２ａ内に収容される際、同時に紐２５及び鈴棒２４も鈴収容凹所２ａ内に収容される。また、蓋体４ａが鈴収容凹所２ａの開口部３ａを閉塞することから、鈴収容凹所２ａ内への雨水等の浸入が抑制され、この鈴収容凹所２ａ内の鈴５が雨水等で濡れることがなくなり、鈴５に錆びが発生することが抑制される。更に、蓋体４ａの飾り凸部２３は鈴収容体１ａの上面で外部に露出し、この飾り凸部２３により鈴収容体１ａの外観が良好になる。
【００３０】
この鈴収容体１ａに取着された蓋体４ａが上方に引き上げられると、蓋体４ａが鈴収容体１ａから取り外され、鈴５及び鈴棒２４が鈴収容凹所２ａから取り出される。この蓋体４ａが上下反転して蓋体４ａの鈴５が固定されている一面が上面側に配置された状態となり、再びこの蓋体４ａが鈴収容体１ａの上面に載置されると、蓋体４ａが鈴収容体１ａに取着される。これにより、鈴５が鈴収容体１ａの上方に配置されて外部に露出すると共に、鈴棒２４も外部に取り出され、墓参者は礼拝時にこの鈴５を鈴棒２４で叩いて鳴らすことができるようになる。また、蓋体４ａの他面の飾り凸部２３は開口部３ａの内側に嵌合することになり、このため、蓋体４ａの位置ずれや鈴収容体１ａからの脱離が生じにくくなる。このように蓋体４ａの位置ずれや脱離が生じにくくなるためには、飾り凸部２３の外径は鈴収容凹所２ａの内径よりもやや小さくなるように形成されることが好ましい。
【００３１】
尚、鈴棒２４は蓋体４ａに取着されていなくても、鈴５を鈴収容体１ａに収容する際に同時に鈴棒２４も鈴収容体１ａに収容することができるが、本実施形態のように鈴棒２４が蓋体４ａに取着されていれば、鈴棒２４の紛失を防止することができる。
【００３２】
また、本実施形態では、蓋体４ａの一面には開口部３ａの内径よりもやや小さい外径を有する平面視円形状の嵌合凸部２６を設け、この嵌合凸部２６に鈴５を固定している。このようにすると、鈴５が鈴収容凹所２ａ内に収容されるように蓋体４ａを鈴収容体１ａに取着する際に、鈴収容凹所２ａの開口部３ａと嵌合凸部２６とが嵌合し、これにより蓋体４ａの位置ずれや鈴収容体１ａからの脱離が更に生じにくくなる。また、蓋体４ａと鈴収容体１ａとの間の隙間を介した鈴収容凹所２ａへの雨水等の浸入が更に抑制され、鈴５の錆びが更に抑制される。
【００３３】
また、本実施形態において、図２に示すように、体４ａの一面の外縁にその全周に亘って嵌合凸条２７を形成すると共に、鈴収容体１ａの上面の外縁にその全周に亘って前記嵌合凸条２７に合致する嵌合凹部２８を形成しても良い。このようにすると、鈴５が鈴収容凹所２ａ内に収容されるように蓋体４ａを鈴収容体１ａに取着する際に、鈴収容体１ａの嵌合凹部２８と嵌合凸条２７とが嵌合し、これにより蓋体４ａの位置ずれや鈴収容体１ａからの脱離が更に生じにくくなる。また、嵌合凹部２８と嵌合凸条２７との嵌合部分において雨水等の移動が更に抑制されて、蓋体４ａと鈴収容体１ａとの間の隙間を介した鈴収容凹所２ａへの雨水等の浸入が更に抑制され、このため鈴５の錆びが更に抑制される。
【００３４】
このようにして、二つの蝋燭立て７のうちの一方の蝋燭立て７ａ（墓碑１２に向かって右側に設置される蝋燭立て７ａ）に鈴収容体１ａが形成される場合に、他方の蝋燭立て７ｂ（墓碑１２に向かって左側に設置される蝋燭立て７ｂ）には図３に示すように副収容体１ｂが形成されても良い。
【００３５】
この他方の蝋燭立て７ｂには、上記一方の蝋燭立て７ａと同様の蝋燭収容体８が形成され、この蝋燭収容体８の上方に、副収容体１ｂが形成される。副収容体１ｂは鈴収容体１ａと同様の形態に形成され、この副収容体１ｂには鈴収容凹所２ａと同様の形態を有する開口部３ｂを備えた副収容凹所２ｂが形成されている。また、この副収容体１ｂに取着される蓋体４ｂは、鈴収容体１ａに取着される蓋体４ａと同様の形態に形成され、鈴収容体１ａに取着される蓋体４ａと同様に副収容体１ｂに対して着脱自在であるが、この蓋体４ｂには鈴５は固定されていない。
【００３６】
このような副収容体１ｂが設けられると、この副収容体１ｂの副収容凹所２ｂ内に遺影等の写真、手紙等といった故人にまつわる物品等を収容することが可能となり、墓参者が副収容体１ｂから前記物品を取り出すことで、故人を偲ぶための助けとなる。また、この副収容体１ｂに種々の祭祀用の用具やその他の物品を収容することもできる。
【００３７】
また、この副収容体１ｂには、ペットの遺骨を納骨することもできる。この場合、副収容体１ｂをペットの墓とすることができる。更に、墓碑１２と、ペットの遺骨が納骨された副収容体１ｂとの位置関係が、飼い主の脇にペットが侍しているかのような位置関係となり、墓参者が故人並びにペットを偲ぶための助けとなる。
【００３８】
また、副収容凹所２ｂの開口部３ｂは蓋体４ｂによって閉塞されるため、鈴収容体１ａの場合と同様に副収容凹所２ｂに収容されたものが雨水等で濡れることが防止される。
【００３９】
また、副収容体１ｂに取着される蓋体４ｂは、鈴収容体１ａと同様に一面、他面のいずれの面が上面側に配置される場合であっても副収容体１ｂに取着可能に形成されるようにしても良く、このとき図４に示すようにこの蓋体４ｂの一面に写真立て１０が固定されていても良い。写真立て１０としては適宜の形態のものが設けられるが、例えば写真の下縁を挟持して支持するクリップ式の写真立て１０が設けられる。この写真立て１０は、鈴２と同様に、例えば弾性体２２を介して蓋体４ｂの一面に固定される。
【００４０】
この場合、蓋体４ｂは、その写真立て１０が固定されていない他面が上面側に配置された状態で、副収容体１ｂの上面に載置されることで、副収容体１ｂに取着される。これにより蓋体４ｂで副収容凹所２ｂの開口部３ｂが閉塞されると共に、写真立て１０が副収容凹所２ｂ内に収容される。このとき蓋体４ｂが副収容凹所２ｂの開口部３ｂを閉塞することから、副収容凹所２ｂ内への雨水等の浸入が抑制され、この副収容凹所２ｂ内の写真立て１０が雨水等で濡れることがなくなる。
【００４１】
この副収容体１ｂに取着された蓋体４ｂが上方に引き上げられると、蓋体４ｂが副収容体１ｂから取り外され、写真立て１０が副収容凹所２ｂから取り出される。この蓋体４ｂが上下反転して蓋体４ｂの写真立て１０が固定されている一面が上面側に配置された状態となり、再びこの蓋体４ｂが副収容体１ｂの上面に載置されると、蓋体４ｂが副収容体１ｂに取着される。これにより、写真立て１０が副収容体１ｂの上方に配置されて外部に露出し、墓参者は礼拝時にこの写真立て１０に故人の写真等を立てることができるようになって、故人を偲ぶ助けとなる。
【００４２】
また、副収容体１ｂの蓋体４ｂには、写真立て１０に代えて、図５に示すように線香立て１１が固定されていても良い。この線香立て１１も、鈴２と同様に、例えば弾性体２２を介して蓋体４ｂの一面に固定される。この場合、蓋体４ｂは、その線香立て１１が固定されていない他面が上面側に配置された状態で、副収容体１ｂの上面に載置されることで、副収容体１ｂに取着される。これにより蓋体４ｂで副収容凹所２ｂの開口部３ｂが閉塞されると共に、線香立て１１が副収容凹所２ｂ内に収容される。このとき蓋体４ｂが副収容凹所２ｂの開口部３ｂを閉塞することから、副収容凹所２ｂ内への雨水等の浸入が抑制され、この副収容凹所２ｂ内の線香立て１１が雨水等で濡れることがなくなる。
【００４３】
この副収容体１ｂに取着された蓋体４ｂが上方に引き上げられると、蓋体４ｂが副収容体１ｂから取り外され、線香立て１１が副収容凹所２ｂから取り出される。この蓋体４ｂが上下反転して蓋体４ｂの線香立て１１が固定されている一面が上面側に配置された状態となり、再びこの蓋体４ｂが副収容体１ｂの上面に載置されると、蓋体４ｂが副収容体１ｂに取着される。これにより、線香立て１１が副収容体１ｂの上方に配置されて外部に露出し、墓参者は礼拝時にこの線香立て１１に線香を立てることができるようになる。
【００４４】
このように副収容体１ｂに線香立て１１を収容すると、墓参者が大人数の場合に特に便利である。すなわち、墓参者が少人数であれば、各墓参者は香台１５に線香を供えれば良いが、墓参者の人数が多いと、香台１５に線香を供え切れなくなり、このような場合に、副収容体１ｂに収容されている線香立て１１を利用すると多くの墓参者が同時に線香を供えることができるようになる。
【００４５】
本実施形態では上記の通り鈴収容体１ａや副収容体１ｂを蝋燭立て７に形成しているが、鈴収容体１ａや副収容体１ｂは墓石における適宜の位置に設置することができ、特にその設置位置は制限されない。但し、本実施形態のように蝋燭立て７に鈴収容体１ａや副収容体１ｂが設けられていると、墓石に多くの場合設置される蝋燭立て７の上部のスペースを利用して鈴収容体１ａや副収容体１ｂを設けることができ、スペースの有効利用を図ることができる。特に本実施形態のように蝋燭収容体８の窓部１６を覆うフード１８が上方にスライドせずに横方向にスライドする場合には、蝋燭収容体８の上方に空きスペースが形成されるため、この空きスペースに鈴収容体１ａや副収容体１ｂをコンパクトに設置することが可能となる。また、蝋燭収容体８内に蝋燭９を立てて火を灯すと、蝋燭９の熱で鈴収容凹所２ａ内や副収容凹部内が加熱されるため、仮に鈴収容凹所２ａ内や副収容凹所２ｂ内に雨水等が浸入していてもこの雨水を加熱して蒸発させることができ、鈴収容凹所２ａ内や副収容凹所内を乾燥した状態に保つことができる。
【００４６】
また、本実施形態における蝋燭立て７は、初めから鈴収容体１ａや副収容体１ｂと蝋燭収容体８とが一体に形成されているものであるが、鈴収容体１ａや副収容体１ｂを有しない既存の蝋燭立て７に鈴収容体１ａや副収容体１ｂを追加的に設けても良い。
【００４７】
図６（ａ）は既存の石材製の蝋燭立て７の一例を示す。この蝋燭立て７には鈴収容体１ａや副収容体１ｂは形成されておらず、蝋燭収容体８のみで構成されている。この蝋燭立て７の上端には、蓋状の装飾（蓋石３０という）が形成されている。この蝋燭立て７の蓋石３０を含む上端部を図６（ｂ）に示すように輪切り状に切断して除去し、この切断後の蝋燭立て７の上端に鈴収容体１ａ又は副収容体１ｂを接合することで、蝋燭収容体８と、鈴収容体１ａ又は副収容体１ｂとを有する蝋燭立て７を形成することができる。
【図面の簡単な説明】
【００４８】
【図１】本発明の実施の形態における蝋燭立てを示すものであり、（ａ）は側面図、（ｂ）は正面図である。
【図２】図１に示される蝋燭立ての他の形態を示す断面図である。
【図３】本発明の実施の形態における他の蝋燭立てを示す側面図である。
【図４】図３に示される蝋燭立ての他の形態を示すものであり、（ａ）は側面図、（ｂ）は正面図である。
【図５】図３に示される蝋燭立ての更に他の形態を示すものであり、（ａ）は側面図、（ｂ）は正面図である。
【図６】（ａ）及び（ｂ）は本発明の実施の形態の他例を示す斜視図である。
【図７】本発明の実施の形態における墓石の構成の一例を示すものであり、（ａ）は正面図、（ｂ）は平面図である。
【符号の説明】
【００４９】
１ａ  鈴収容体
１ｂ  副収容体
２ａ  鈴収容凹所
２ｂ  副収容凹所
３ａ  開口部
３ｂ  開口部
４ａ  蓋体
４ｂ  蓋体
５    鈴
７    蝋燭立て
８    蝋燭収容体
９    蝋燭
１０  写真立て
１１  線香立て
【図１】
2010053560.tif 000003
【図２】
2010053560.tif 000004
【図３】
2010053560.tif 000005
【図４】
2010053560.tif 000006
【図５】
2010053560.tif 000007
【図６】
2010053560.tif 000008
【図７】
2010053560.tif 000009